(57)【要約】【課題】スリーブ挿入量の確認等に用いることができ、且つ電線の切断・接続作業を妨害しないスケールを備えた電線切断接続用補助具を提供する。【解決手段】電線Ｃを着脱可能に保持する電線保持部１５を夫々備えた２つの電線保持アーム１０と、少なくとも一方の電線保持アームを直線状の移動経路に沿って進退可能にガイドする進退ガイド部３１を備えたガイド部材３０と、ガイド部材に配置されて、各電線保持部によって夫々保持された２つの電線同士の接続位置を確認するスケール４０と、スケールを、ガイド部材と一体的に、或いは単独で、電線と接近した測定位置と、離間した退避位置との間で進退させるスケール接離機構と、を備えた。【選択図】図１
2014054142.tif 000002
【特許請求の範囲】
【請求項１】
電線を着脱可能に保持する電線保持部を夫々備えた２つの電線保持アームと、
少なくとも一方の前記電線保持アームを所定の移動経路に沿って進退可能にガイドするガイド部を備えたガイド部材と、
前記ガイド部材に配置されて、前記各電線保持部によって夫々保持された２つの電線同士の接続位置を確認するスケールと、
前記スケールを、前記ガイド部材と一体的に、或いは単独で、前記電線と接近した測定位置と、離間した退避位置との間で進退させるスケール接離機構と、を備えたことを特徴とする電線切断接続用補助具。
【請求項２】
前記スケールを前記移動経路に沿って進退可能にするスケール進退機構を備えたことを特徴とする請求項１に記載の電線切断接続用補助具。
【請求項３】
前記スケールは、前記ガイド部材に一体化されていることを特徴とする請求項２に記載の電線切断接続用補助具。
【請求項４】
前記スケールは、前記ガイド部材に対して相対移動可能に構成されていることを特徴とする請求項２に記載の電線切断接続用補助具。
【発明の詳細な説明】
【技術分野】
【０００１】
本発明は、主に電線の切断作業、及び電線同士の接続作業の際に用いられる小型で簡易な構造の電線切断接続用補助具の改良に関し、特に、電線に対するスリーブの挿入位置等を確認するスケールを備えた電線切断接続用補助具に関する。
【背景技術】
【０００２】
架空電線は、軽量且つ高強度であることが求められているため、鋼心アルミ撚線等の撚線が多く用いられる。
撚線を切断する作業に際して、切断部分から撚りが解けて撚線を構成する線材がばらけて拡開変形する虞があるため、従来は切断部の近傍にバインド線等のビニル被覆された金属線を巻き付けて締め付けることにより、撚線のばらけ、ほつれを防止していた。また、中心部に鋼心を有する撚線の場合、切断と同時に電線が跳ね上がって、作業員が怪我をする虞がある。そのため、切断部が跳ね上がらないように複数の作業員が電線を押さえる必要があった。
他方、電線の端部同士を接続する場合には、圧縮スリーブ等の電線接続用スリーブを用いる。スリーブの軸方向両端から夫々の電線端部を挿入し、圧縮工具等の専用工具を用いてスリーブと電線を塑性変形させることで、スリーブを介して電線同士を接続する。スリーブ圧縮作業時には圧縮工具に大きな力を加える必要があるため、一人の作業員が片方の手でスリーブと電線を保持しながら他方の手で圧縮工具を操作する必要があるが、この作業は極めて困難であり、接続不良を引き起こす原因となっていた。
電線接続時における上記問題を解決するため特許文献１には、電線同士をスリーブ接続する際に、スリーブの軸方向両端の各開口から挿入された電線およびスリーブをそれぞれ保持する電線接続用保持具が記載されている。
【先行技術文献】
【特許文献】
【０００３】
【特許文献１】特開２００９−０７１９１６公報
【発明の概要】
【発明が解決しようとする課題】
【０００４】
ところで、架空電線は強い張力を受けるため、電線同士をスリーブ接続する場合には、接続不良を発生させないようにする必要がある。 そのため接続作業時には、接続する２つの電線の端部がスリーブ内に夫々均等に挿入されることをスケールにて確認すると共に、作業者が確実に接続したか否かを管理者が確認するために、接続部分にスリーブとスケールを添えた記録接続前の記録写真や、接続部分にスケールを添えた接続後の記録写真を撮影する。
しかし、特許文献１の電線接続用保持具はスケールを有していないため、電線のスリーブに対する挿入量を確認する場合や記録写真を撮影する場合には、スケールを別途用意する必要がある。また、スケールは切断作業時と接続作業時には不要であるため、スケールがこれらの作業を妨害しないようにする必要がある。
本発明は、上述の事情に鑑みてなされたものであり、スリーブ挿入量の確認等に用いることができ、且つ電線の切断・接続作業を妨害しないスケールを備えた電線切断接続用補助具を提供することを目的とする。
【課題を解決するための手段】
【０００５】
上記の課題を解決するために、請求項１に記載の発明は、電線を着脱可能に保持する電線保持部を夫々備えた２つの電線保持アームと、少なくとも一方の前記電線保持アームを所定の移動経路に沿って進退可能にガイドするガイド部を備えたガイド部材と、前記ガイド部材に配置されて、前記各電線保持部によって夫々保持された２つの電線同士の接続位置を確認するスケールと、前記スケールを、前記ガイド部材と一体的に、或いは単独で、前記電線と接近した測定位置と、離間した退避位置との間で進退させるスケール接離機構と、を備えたことを特徴とする。
請求項１の発明では、電線保持アームとスケールとが、夫々進退移動する。電線保持アームは、ガイド部の案内により移動経路に沿って進退移動する。また、スケールは、電線同士の接続位置を確認するために適した位置まで電線に接近し、また電線の接続や切断作業を阻害しない位置まで電線から離間する。
【０００６】
請求項２に記載の発明は、請求項１において、前記スケールを前記移動経路に沿って進退可能にするスケール進退機構を備えたことを特徴とする。
請求項２の発明では、スケールを移動経路に沿って進退可能に構成したので、電線に対するスケールの目盛位置を調整することができる。
請求項３に記載の発明は、請求項２において、前記スケールは、前記ガイド部材に一体化されていることを特徴とする。
請求項３の発明においてスケールは、ガイド部材と共に移動経路に沿って進退移動する。
請求項４に記載の発明は、請求項２において、前記スケールは、前記ガイド部材に対して相対移動可能に構成されていることを特徴とする。
請求項４の発明においてスケールは、ガイド部材とは独立して移動経路に沿って進退移動する。
【発明の効果】
【０００７】
本発明によれば、スケールを電線と接近した測定位置に移動させることができるので、電線に対するスリーブの挿入位置を正確に把握できる。また、スケールを電線から離間した退避位置に移動させることができるので、電線の切断作業時、及び接続作業時にスケールが作業の障害とならない。
【図面の簡単な説明】
【０００８】
【図１】本発明の第一の実施形態に係る電線切断接続用補助具を示す図であり、（ａ）は斜視図であり、（ｂ）、（ｃ）は側面図である。
【図２】（ａ）〜（ｃ）は、電線の接続手順を示す図である。
【図３】本発明の第二の実施形態に係る電線切断接続用補助具を示す図である。
【図４】本発明の第三の実施形態に係る電線切断接続用補助具を示す図である。
【発明を実施するための形態】
【０００９】
以下、本発明を図に示した実施形態を用いて詳細に説明する。但し、この実施形態に記載される構成要素、種類、組み合わせ、形状、その相対配置等は特定的な記載がない限り、この発明の範囲をそれのみに限定する主旨ではなく単なる説明例に過ぎない。
【００１０】
〔第一の実施形態〕
本発明の第一の実施形態に係る電線切断接続用補助具について、図１に基づいて説明する。図１は、本発明の第一の実施形態に係る電線切断接続用補助具を示す図であり、（ａ）は斜視図であり、（ｂ）、（ｃ）は側面図である。本実施形態に係る電線切断接続用補助具は、電線の切断位置やスリーブの挿入位置を確認するためのスケールを、電線に接近した位置と離間した位置との間で進退させる点に特徴がある。
【００１１】
電線切断接続用補助具１は、電線Ｃを着脱可能に保持する電線保持部１５を夫々備えた２つの電線保持アーム１０と、２つの電線保持アーム１０を直線状の移動経路に沿って互いに接近・離間する方向に進退可能にガイドする進退ガイド部３１を備えたガイド部材３０と、ガイド部材３０に配置されて、各電線保持部１５によって夫々保持された２つの電線Ｃ同士（Ｃ１、Ｃ２：図２（ｂ）参照）の接続位置を確認するスケール４０と、スケール４０を、ガイド部材３０と一体的に、電線Ｃと接近した測定位置と、離間した退避位置との間で進退させるスケール接離機構と、スケール４０を移動経路に沿って進退可能にするスケール進退機構と、を備えている。
【００１２】
電線保持アーム１０は、アーム部１１と、アーム部１１の長手方向一端に配置された電線保持部１５と、を有している。
アーム部１１には、その長手方向に沿って接離ガイド部１３が形成されている。接離ガイド部１３は、ガイド部材３０を電線Ｃに対して接離移動させるガイド手段であり、本実施形態においてはアーム部１１を貫通する長穴から構成されている。電線保持アーム１０の各電線保持部１５を電線に固定した状態で、ガイド部材３０を電線に対して並行に移動させることができる。
電線保持部１５は、半円筒状の第一の分割片１７ａ及び第二の分割片１７ｂと、第一の分割片１７ａと第二の分割片１７ｂの内周面に着脱自在に取り付けられたスペーサ１９と、第一の分割片１７ａと第二の分割片１７ｂとを開閉自在に連接するヒンジ部２１と、第一の分割片１７ａと第二の分割片１７ｂのヒンジ部２１とは反対側の周方向端部から夫々延設された第一の結合片２３ａ及び第二の結合片２３ｂと（？）、第二の結合片２３ｂのネジ穴２５に螺着されることにより、第一の分割片１７ａと第二の分割片１７ｂを閉止する蝶ボルト２７と、を備えている。
【００１３】
電線保持部１５は、電線Ｃ（例えば鋼心アルミ撚り線）の切断作業時に、撚線を構成する線材のばらけ、ほつれが発生しないように、或いは電線が跳ね返らないよう、強固に電線Ｃを保持可能な大きさ及び材質にて構成する。例えば、電線保持アーム１０の全体を、アルミ等の金属から作製することができる。
第一の分割片１７ａと第二の分割片１７ｂは、少なくとも、電線Ｃを保持可能な中空部を形成することができればよい。例えば、分割片の外形状を多角形状としてもよい。
スペーサ１９は、第一の分割片１７ａと第二の分割片１７ｂが形成する中空部の内径を、保持する電線Ｃの太さにあわせて変更する部材である。スペーサ１９は、例えば硬質ゴムやプラスチックから構成することができる。
なお、図示した電線保持部１５は一例であり、これ以外にもクリップ状に電線Ｃを挟持する構成を採用してもよいし、その他の構成を採用してもよい。
【００１４】
ガイド部材３０は、直線状の部材であり、例えばステンレス等の金属から作製することができる。ガイド部材３０の長手方向は、電線保持アーム１０の長手方向と直交するように配置されている。即ち、ガイド部材３０は、電線保持部１５が電線Ｃを保持したときに、電線Ｃと略平行になるように配置されている。なお、ガイド部材３０は、必ずしも直線状である必要はなく、任意の形態であっても構わない。
ガイド部材３０の長手方向両端部には、その長手方向に沿って進退ガイド部３１が形成されている。進退ガイド部３１は、電線保持アーム１０を直線状の移動経路に沿って移動させるガイド手段であり、本実施形態においてはガイド部材３０を貫通する長穴から構成されている。
【００１５】
ガイド部材３０には、スケール４０が一体化されている。もちろん、ガイド部材３０自体に目盛を設けてスケールとしてもよい。
スケール４０は直線状でありガイド部材３０に沿って設けられている。スケール４０は、例えば図示するように中央にゼロ目盛を配し、ガイド部材３０の長手方向各端部に向かって夫々数値が増加するように目盛を刻んだものとしてよい。もちろん、スケールの一方の端部から他方の端部に向かって数値が増加するように、目盛を刻んでもよい。
【００１６】
電線保持アームとスケールを移動させる機構について説明する。
ガイド部材３０の長手方向両端に形成された進退ガイド部３１は、各電線保持アーム１０をガイド部材３０の長手方向に沿って移動するようにガイドする。即ち、進退ガイド部３１は、各電線保持アーム１０を、夫々他方の電線保持アーム１０に接近した位置と、夫々他方の電線保持アーム１０から離間した位置との間で進退させる。
また、電線保持アーム１０のアーム部１１に形成された接離ガイド部１３は、ガイド部材３０及びスケール４０が電線保持アーム１０の長手方向に沿って移動するようにガイドする。言い換えれば接離ガイド部１３は、ガイド部材３０及びスケール４０を電線Ｃと接近した測定位置と離間した退避位置との間で進退させる。
進退ガイド部３１と接離ガイド部１３には、進退ガイド部３１と接離ガイド部１３とを連通させた状態にて、蝶ボルト３３の軸部（軸部材）が挿通される。また、蝶ボルト３３の軸部のうち、進退ガイド部３１と接離ガイド部１３から突出した軸部（余長部分）には、蝶ナット３５が螺着される。これにより、ガイド部材３０と電線保持アーム１０とが一体化される。
蝶ボルト３３と蝶ナット３５を締結することにより、ガイド部材３０と電線保持アーム１０とを固定し、その移動を阻止することができる。
また、蝶ボルト３３と蝶ナット３５を緩めることにより、ガイド部材３０とスケール４０を進退ガイド部３１に沿った方向に、且つ電線保持アーム１０に対して相対的に移動させることができる。さらに、２つの電線保持アーム１０を、夫々進退ガイド部３１に沿って移動させることができる。
【００１７】
本実施形態において電線保持アーム１０を移動経路に沿って進退させるアーム進退機構は、電線保持アーム１０を互いに接近又は離間移動させる機構であり、ガイド部材３０の長手方向両端に形成された２つの進退ガイド部３１と、各進退ガイド部３１に挿通される２つの蝶ボルト３３と、蝶ボルト３３の軸部挿通孔としての接離ガイド部１３と、を含んで構成されている。進退ガイド部３１と接離ガイド部１３に蝶ボルト３３の軸部を挿通することにより、電線保持アーム１０が進退ガイド部３１の形成方向（ガイド部材３０の長手方向：移動経路に沿った方向）に進退移動する。
また、電線保持アーム１０はガイド部材３０に対して相対移動する構成であり、またスケール４０はガイド部材３０と一体化されているため、スケール４０を移動経路に沿って進退可能にするスケール進退機構は、アーム進退機構と兼用されている。
スケール４０を電線Ｃと接近した測定位置と離間した退避位置との間で進退させるスケール接離機構は、各電線保持アーム１０に夫々形成された２つの接離ガイド部１３と、各接離ガイド部１３に挿通される蝶ボルト３３と、蝶ボルト３３の軸部挿通孔としての接離ガイド部１３と、を含んで構成されている。進退ガイド部３１と接離ガイド部１３に蝶ボルト３３の軸部を挿通することにより、スケール４０が接離ガイド部１３の形成方向（アーム部１１の長手方向）に接離移動する。
【００１８】
アーム進退機構、スケール進退機構、及びスケール接離機構には、その他のガイド方式を採用してもよい。例えばレール式にガイドする構成としてもよい。また、アーム部又はガイド部材を入れ子式に伸縮自在に構成することにより、電線保持アーム１０やスケール４０を進退移動可能にしてもよい。即ち、アーム部の一部を入れ子式に伸縮自在に構成することにより、スケール４０を電線に対して接離移動させるようにしてもよい。また、ガイド部材３０の長手方向両端部を入れ子式に伸縮自在に構成することにより、スケール４０と電線保持アーム１０とを進退移動させるようにしてもよい。
【００１９】
本実施形態に係る電線切断接続用補助具の使用方法について説明する。
電線切断接続用補助具１に対する電線Ｃの装着方法は、図１（ｂ）、（ｃ）に示すように、蝶ボルト２７を緩めて第一の分割片１７ａをヒンジ部２１周りに回動させ、第二の結合片２３ｂから第一の結合片２３ａを離間させる。
第一の分割片１７ａと第二の分割片１７ｂとの間に電線Ｃを挿入し、第一の結合片２３ａと第二の結合片２３ｂとを密着させ、蝶ボルト２７を第二の結合片２３ｂに締結することにより第一の分割片１７ａと第二の分割片１７ｂを開放不能に閉止する。
これを２つの電線保持部１５について夫々行い、長手方向に離間した電線Ｃの２か所を電線保持部１５により保持する。
【００２０】
電線Ｃを切断する場合、図１（ａ）に示すように２つの電線保持部１５間に跨って１本の電線Ｃを保持する。このとき、２つの電線保持アーム１０を点線で示す位置にまで移動させて、切断箇所に近接した位置において電線Ｃを保持し、切断時に電線Ｃ（撚線）を構成する線材のばらけ、ほつれが発生しないようにする。蝶ボルト３３及び蝶ナット３５を緩め、スケール４０を電線Ｃから離間した退避位置に移動させる。この状態にて、電線を切断器具により切断する。スケール４０が退避位置にあるので、電線Ｃを切断する際に、スケールが電線Ｃ切断時の障害とならない。
【００２１】
電線の接続方法について図２に基づいて説明する。図２（ａ）〜（ｃ）は、電線の接続手順を示す図である。
図２（ａ）に示すように、２本の電線Ｃ１、Ｃ２を接続する場合は、電線Ｃ１、Ｃ２の端面が付き合わされた状態となるように、各電線Ｃ１、Ｃ２を夫々の電線保持部１５に装着する。
図２（ｂ）に示すように、蝶ボルト３３及び蝶ナット３５を緩め、スケール４０を、電線Ｃと近接した測定位置に移動させる。さらに、スケール４０を移動経路に沿って移動させることで、スケール４０の目盛位置を調整する。即ち、スケール４０のゼロ目盛部分を２つの電線Ｃ１、Ｃ２の端面が対向する位置に合わせる。夫々の蝶ボルト３３及び蝶ナット３５を締結し、ガイド部材３０を電線保持アーム１０に固定する。続いて、スリーブＳ内に適当なワイヤーＷを挿通し、ワイヤーＷの両端を夫々のアーム部１１に係止する等により、スリーブＳ内に挿入される電線Ｃ１、Ｃ２の長さが同一となるように、スリーブＳと電線Ｃ１、Ｃ２の位置合わせを行う。電線Ｃ１、Ｃ２には、スリーブＳの軸方向両端部の位置（開口端位置）をマーカー等によりマークする。
電線Ｃ２側の電線保持部１５の蝶ボルト２７（図１（ｃ）参照）を緩め、電線Ｃ２を電線Ｃ１から離間させるようにずらして、電線Ｃ１と電線Ｃ２の端部にスリーブＳを挿入する。スリーブＳの軸方向両端縁が電線Ｃ１と電線Ｃ２に付したマークの位置と夫々合致するように、スリーブＳの位置、及び電線Ｃ２の位置を調整し、蝶ボルト２７を締結する。
図２（ｃ）に示すように、蝶ボルト３３及び蝶ナット３５を緩め、スケール４０を電線Ｃから離間した退避位置に移動させる。その後、圧縮工具（不図示）のダイス間にスリーブＳ部分を挟み、圧縮工具によってスリーブＳを圧縮し、２つの電線Ｃ１、Ｃ２を接続する。
【００２２】
以上のように本実施形態によれば、電線保持部が電線を保持した状態で電線を切断できるので、電線を構成する線材のばらけ、ほつれを防止できる。また、２つの電線保持アームがガイド部材により互いに拘束された状態で電線を切断できるので、切断作業時に電線が跳ね上がることを防止でき、単独作業時における作業員の怪我を防止できる。また、電線の接続時に電線保持部が２本の電線を夫々保持するので、作業員が電線を保持する必要がなく、単独での接続作業時に作業員が圧縮工具を安定して操作することができ、接続不良の発生を防止することができる。
また、電線の接続時に電線保持部によって２本の電線を夫々保持することができるので、電線接続時に電線が湾曲することや、電線圧縮時に電線を構成する線材間に隙間が発生する「笑い」現象を防止することができる。
また、スケールを電線から離間した退避位置に移動させることができるので、電線の切断作業時、及び接続作業時にスケールが作業の障害とならない。また、スケールを電線に接近した測定位置に移動させることができるので、電線に対するスリーブの挿入位置を正確に把握できる。
また、ガイド部材とスケールとを一体化したので、電線切断接続用補助具を構成する部品点数を少なくし、構成を簡略化することができる。従って、電線切断接続用補助具の軽量化を図ることができる。
また、各部の締結に蝶ボルト及び蝶ナットを用いたので、特別な工具を用いることなく、各部を締結し、又はその締結を解除することができる。
【００２３】
〔第二の実施形態〕
本発明の第二の実施形態に係る電線切断接続用補助具について、図３に基づいて説明する。図３は、本発明の第二の実施形態に係る電線切断接続用補助具を示す図である。本実施形態に係る電線切断接続用補助具は、スケール進退機構とアーム進退機構とを別個の機構とした点に特徴がある。以下、第一の実施形態と同一の部材には同一の符号を付してその説明を省略する。
【００２４】
本実施形態に係る電線切断接続用補助具２のスケール進退機構は、スケール４０を直線状の移動経路に沿ってガイド部材３０に対して相対的に移動させる機構である。スケール進退機構は、概略帯板状のスケール４０のうち目盛の刻印箇所を回避した位置に、スケール４０の長手方向に沿って貫通形成された長穴からなるスケール進退ガイド部４１と、スケール進退ガイド部４１に軸部が挿通される蝶ボルト４３と、ガイド部材３０の適所に形成されて蝶ボルト４３の軸部が夫々螺着するネジ穴４５と、を備えている。
スケール進退ガイド部４１を介して蝶ボルト４３をネジ穴４５に締結した場合、スケール４０はガイド部材３０に対して相対移動不能となる。また、蝶ボルト４３を緩めた場合、スケール４０はガイド部材３０に対して相対移動可能となる。即ち、スケール４０はスケール進退ガイド部４１に案内されて、その形成方向（スケール４０の長手方向）に進退移動する。
【００２５】
本実施形態において電線保持アームを進退させるアーム進退機構は、一方の電線保持アーム１０ａのみを直線状の移動経路に沿って進退させる機構である。
アーム進退機構は、ガイド部材３０の一端３０ａにガイド部材３０の長手方向に沿って形成された長穴からなるアーム進退ガイド部５１と、アーム進退ガイド部５１に挿通される蝶ボルト３３と、蝶ボルト３３の軸部挿通孔としての接離ガイド部１３と、を備えている。蝶ボルト３３は、アーム進退ガイド部５１と接離ガイド部１３とを連通させた状態にてアーム進退ガイド部５１と接離ガイド部１３に順次挿通される。また、アーム進退ガイド部５１と接離ガイド部１３から突出した蝶ボルト３３の軸部（余長部分）には、蝶ナット３５が螺着される。これにより、ガイド部材３０と電線保持アーム１０ａとが一体化される。
また、ガイド部材３０の他端３０ｂには、蝶ボルト３３の軸部を挿通する挿通孔５３が形成されている。挿通孔５３を接離ガイド部１３と連通させた状態にて挿通孔５３と接離ガイド部１３とに蝶ボルト３３の軸部を挿通することによって、ガイド部材３０の他端３０ｂにおいては、スケール４０が接離ガイド部１３によって案内され、電線Ｃ（図１参照）に対して接離移動する（スケール接離機構）。
使用方法等については、第一の実施形態と同様であるため、その説明を省略する
【００２６】
以上のように、本実施形態においても、スケールを電線から離間した退避位置に移動させることができるので、電線の切断作業時、及び接続作業時にスケールが作業の障害とならない。
また、スケールを電線に接近した測定位置に移動させることができるので、電線に対するスリーブの挿入位置の確認を容易に行うことができる。
また、ガイド部材に対してスケールが独立して進退するようにしたので、スケールを進退させるときに各電線保持アームは移動しない。このため、電線接続時（図２（ｂ））に２本の電線の位置関係がずれない。
【００２７】
〔第三の実施形態〕
本発明の第三の実施形態に係る電線切断接続用補助具について、図４に基づいて説明する。図４は、本発明の第三の実施形態に係る電線切断接続用補助具を示す図である。本実施形態に係る電線切断接続用補助具においては、スケールがガイド部材とは単独で電線Ｃ（図１参照）に対して進退移動する点に特徴がある。以下、第一及び第二の実施形態と同一の部材には同一の符号を付してその説明を省略する。
【００２８】
本実施形態に係る電線切断接続用補助具３のアーム進退機構は、第一及び第二の実施形態と同様に進退ガイド部３１と蝶ボルト３３とを備え、更に蝶ボルト３３と螺着するネジ穴３７をアーム部１１に備えている。蝶ボルト３３の軸部を、進退ガイド部３１に挿通した状態にてアーム部１１のネジ穴３７に螺着することにより、ガイド部材３０と電線保持アーム１０とを一体化する。蝶ボルト３３をネジ穴３７に締結すると、電線保持アーム１０はガイド部材３０に対して相対移動不能となる。また、蝶ボルト３３を緩めると、電線保持アーム１０はガイド部材３０に対して相対移動可能となり、電線保持アーム１０が進退ガイド部３１に案内されて、移動経路に沿って進退移動する。
なお、本実施形態においてスケール進退機構とアーム進退機構は、第一の実施形態と同様に兼用されている。即ち、蝶ボルト３３を緩めたときに、ガイド部材３０とガイド部材３０に一体化されたスケール４０は、進退ガイド部３１に案内されて、移動経路に沿って進退移動する。
また、ガイド部材３０は、電線の切断・接続作業を阻害しない位置、言い換えれば退避位置において移動経路に沿って進退するように構成されている。即ち、ガイド部材３０自体の電線Ｃに対する接離移動は禁止されている。
【００２９】
スケール接離機構は、スケール４０を、ガイド部材３０とは単独で、電線Ｃと接近した測定位置と、離間した退避位置との間で進退させる機構である。スケール接離機構は、スケール４０の長手方向と直交する方向に突出した平行な２つのガイドアーム４７と、夫々のガイドアーム４７に対してその突出方向（長手方向）に沿って形成された長穴からなるスケール接離ガイド部４９と、各スケール接離ガイド部４９に軸部が挿通される蝶ボルト４３と、ガイド部材３０の適所に形成されて各蝶ボルト４３の軸部が夫々螺着する２つのネジ穴４５と、を備えている。２つのガイドアーム４７は、電線保持部１５が電線Ｃを保持した場合に、電線Ｃから離間する方向に突出している。
蝶ボルト４３をネジ穴４５に締結した場合、スケール４０はガイド部材３０に対して相対移動不能となる。また、蝶ボルト４３を緩めた場合、スケール４０はガイド部材３０に対して相対移動可能となる。即ち、スケール４０はスケール接離ガイド部４９に案内されて、電線Ｃに対して測定位置と退避位置との間で進退移動する。
使用方法については、第一及び第二の実施形態と同様であるため、その説明を省略する
【００３０】
以上のように、本実施形態においても、スケールを電線から離間した退避位置に移動させることができるので、電線の切断作業時、及び接続作業時にスケールが作業の障害とならない。
また、スケールを電線に接近した測定位置に移動させることができるので、電線に対するスリーブの挿入位置の確認を容易に行うことができる。
【符号の説明】
【００３１】
１、２、３…電線切断接続用補助具、１０…電線保持アーム、１１…アーム部、１３…接離ガイド部、１５…電線保持部、１７ａ…第一の分割片、１７ｂ…第二の分割片、１９…スペーサ、２１…ヒンジ部、２３ａ…第一の結合片、２３ｂ…第二の結合片、２５…ネジ穴、２７…蝶ボルト、３０…ガイド部材、３０ａ…一端、３０ｂ…他端、３１…進退ガイド部、３３…蝶ボルト、３５…蝶ナット、３７…ネジ穴、４０…スケール、４１…スケール進退ガイド部、４３…蝶ボルト、４５…ネジ穴、４７…ガイドアーム、４９…スケール接離ガイド部、５１…アーム進退ガイド部、５３…挿通孔、Ｃ…電線、Ｓ…スリーブ、Ｗ…ワイヤー
【図１】
2014054142.tif 000003
【図２】
2014054142.tif 000004
【図３】
2014054142.tif 000005
【図４】
2014054142.tif 000006